【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
複数の無線電話と複数の周波数帯域および／または複数の電波インタフェースで通信するように構成された宇宙設置コンポーネントと、前記複数の無線電話と実質上前記複数の周波数帯域および／または実質上前記複数の電波インタフェースで地上波通信するように構成された付随する地上ネットワークとを含む衛星無線電話システムを制御するための方法であって、
前記複数の無線電話による総放射電力を最大総放射電力に制限するステップと含む、衛星無線電話システムのための制御方法。
【請求項２】
前記複数の無線電話による総放射電力を最大総放射電力に制限するステップは、前記複数の無線電話による総放射電力を最大総放射電力に制限するために、前記複数の無線電話および／または前記付随する地上ネットワークを制御するものである請求項１に記載の衛星無線電話システムのための制御方法。
【請求項３】
前記複数の周波数帯域および／または前記複数の電波インタフェースは、ＧＳＭ電波インタフェースおよびＣＤＭＡ電波インタフェースを含み、
前記複数の無線電話による総放射電力を最大総放射電力に制限するために前記複数の無線電話を制御することは、ＧＳＭ電波インタフェースを使用している同一周波数タイムスロットの数をＮGSMとし、ＣＤＭＡ電波インタフェースを使用している同一周波数コードの数をＮCDMAとしたときに、実質的に次式、
【数１】
2006525752.tif 000001
に基づいて前記複数の無線電話を制御するものである請求項２に記載の衛星無線電話システムのための制御方法。
【請求項４】
ＮGSM個のＧＳＭタイムスロットは、ＮCDMA個のＣＤＭＡコードと少なくとも部分的に同一周波数である請求項３に記載の衛星無線電話システムのための制御方法。
【請求項５】
前記複数の周波数帯域および／または前記複数の電波インタフェースは、ＧＳＭ電波インタフェースとｃｄｍａ２０００電波インタフェースとＷ−ＣＤＭＡ電波インタフェースとを含み、
前記複数の無線電話による総放射電力を最大総放射電力に制限するために前記複数の無線電話を制御することは、ＧＳＭ電波インタフェースを使用している同一周波数タイムスロットの数をＮとし、ｃｄｍａ２０００電波インタフェースを使用している同一周波数コードの数をＭとし、Ｗ−ＣＤＭＡ電波インタフェースを使用している同一周波数コードの数をＬとし、許可されたＧＳＭベースの周波数再利用度をＲとしたときに、実質的に次式、
【数２】
2006525752.tif 000002
に基づいて前記複数の無線電話を制御するものである請求項２に記載の衛星無線電話システムのための制御方法。
【請求項６】
Ｎ個のＧＳＭタイムスロットとＭ個のｃｄｍａ２０００コードとＬ個のＷ−ＣＤＭＡコードとは、少なくとも部分的に同一周波数である請求項５に記載の衛星無線電話システムのための制御方法。
【請求項７】
前記複数の無線電話による総放射電力を最大総放射電力に制限するために前記複数の無線電話を制御することは、与えられた周波数帯域および／または電波インタフェースｉを使用している同一周波数チャネルの数をＮiとし、前記与えられた周波数帯域および／または電波インタフェースｉに対する、１より小、１より大、または１に等しい場合がある対応する等価係数をＦiとし、最大総放射電力の大きさをＭＡＲＰとしたときに、次式、
【数３】
2006525752.tif 000003
に基づいて実行されるものである請求項２に記載の衛星無線電話システムのための制御方法。
【請求項８】
前記複数の無線電話による総放射電力を最大総放射電力に制限するために前記複数の無線電話を制御することは、与えられた周波数帯域および／または電波インタフェースに対して与えられた構造減衰マージンｉを使用している同一周波数チャネルの数をＮiとし、前記与えられた周波数帯域および／または電波インタフェースの前記与えられた構造減衰マージンｉに対する、１より小、１より大、または１に等しい場合がある対応する等価係数をＦiとし、最大総放射電力の大きさをＭＡＲＰとしたときに、次式、
【数４】
2006525752.tif 000004
に基づいて実行されるものである請求項２に記載の衛星無線電話システムのための制御方法。
【請求項９】
複数の同一周波数無線電話による総放射電力を最大総放射電力に制限するために前記複数の無線電話を制御することは、衛星におけるｉ番目の無線電話からの放射電力スペクトル密度の大きさを（ｐｓｄ）iとし、許容された最大総放射電力の大きさをＭＡＲＰとしたときに、次式、
【数５】
2006525752.tif 000005
に基づいて実行されるものである請求項２に記載の衛星無線電話システムのための制御方法。
【請求項１０】
衛星方向におけるｉ番目の無線電話からの最大放射電力の大きさを１０ｌｏｇ（ｐｉ）とし、ｉ番目の無線電話によって放射された搬送波によって占有される帯域幅をＢＷｉとし、ｉ番目の無線電話と衛星との間の信号減衰の大きさを１０ｌｏｇ（αｉ）としたときに、（ｐｓｄ）iは、実質的に次式、
【数６】
2006525752.tif 000006
に基づいて決定されるものである請求項９に記載の衛星無線電話システムのための制御方法。
【請求項１１】
前記複数の無線電話を制御することは、複数の同一周波数無線電話による総放射電力を最大放射電力に制限するために、少なくとも１つの選ばれた無線電話および／または低い構造減衰マージンに従う少なくとも１つの無線電話を制御するものである請求項２に記載の衛星無線電話システムのための制御方法。
【請求項１２】
前記複数の無線電話を制御することは、前記複数の無線電話による総放射電力を最大放射電力に制限するために、最大総放射電力を超えた周波数帯域および／または搬送波周波数および／または電波インタフェースで前記付随する地上ネットワークと通信している少なくとも１つの無線電話を制御するものである請求項５に記載の衛星無線電話システムのための制御方法。
【請求項１３】
前記複数の無線電話を制御することは、前記複数の無線電話による総放射電力を最大放射電力に制限するために、少なくとも１つの無線電話のボコーダレートを小さくすることによって、並びに／または、少なくとも１つの無線電話の情報伝送レートを小さくし、および／もしくは最大総放射電力を超えていない周波数を使用して通信するように少なくとも１つの無線電話を制御することによって、少なくとも１つの無線電話の放射電力を減らすものである請求項２に記載の衛星無線電話システムのための制御方法。
【請求項１４】
前記付随する地上ネットワークは複数の付随する地上コンポーネントを含み、
前記付随する地上ネットワークを制御することは、少なくとも１つの無線端末から少なくとも２つの付随する地上コンポーネントによって受信された信号並びに／または付随する地上コンポーネントおよび補助アンテナシステムによって受信された信号をダイバシティ合成して、前記少なくとも１つの無線電話による放射電力を減らすようにするものである請求項２に記載の衛星無線電話システムのための制御方法。
【請求項１５】
前記複数の無線電話による総放射電力を最大総放射電力に制限するステップは、前記複数の無線電話の部分集合による総放射電力を最大総放射電力に制限するものである請求項１に記載の衛星無線電話システムのための制御方法。
【請求項１６】
前記複数の周波数帯域は第１の周波数帯域および第２の周波数帯域を含み、前記複数の無線電話の部分集合は前記付随する地上ネットワークと実質上前記第１の周波数帯域で地上波通信する無線電話を含む請求項１５に記載の衛星無線電話システムのための制御方法。
【請求項１７】
前記第１の周波数帯域は、Ｌ帯域周波数を含む請求項１６に記載の衛星無線電話システムのための制御方法。
【請求項１８】
前記第２の周波数帯域は、Ｓ帯域周波数を含む請求項１７に記載の衛星無線電話システムのための制御方法。
【請求項１９】
前記第１の周波数帯域は別のシステムによって実質上電波地平線間で使用されるＬ帯域周波数を含み、前記第２の周波数帯域は別のシステムによって実質上電波地平線間で使用されないＬ帯域周波数を含む請求項１６に記載の衛星無線電話システムのための制御方法。
【請求項２０】
前記第２の周波数帯域は、Ｓ帯域周波数を更に含む請求項１９に記載の衛星無線電話システムのための制御方法。
【請求項２１】
前記宇宙設置コンポーネントはゲートウェイを含み、前記複数の無線電話による総放射電力を最大放射電力に制限するために前記複数の無線電話および／または前記付随する地上ネットワークを制御することは、少なくとも部分的には、前記ゲートウェイ内、前記付随する地上ネットワーク内、および／または、前記ゲートウェイおよび／または前記付随する地上ネットワークと連動する独立コンポーネント内で実行されるものである請求項２に記載の衛星無線電話システムのための制御方法。
【請求項２２】
前記複数の無線電話と実質上複数の周波数帯域および／または実質上複数の電波インタフェースで地上波通信することは、付随する地上ネットワークの、第１の無線電話と実質上第１の周波数帯域および／または実質上第１の電波インタフェースで地上波通信するように構成された第１の部分と、第２の無線電話および／または前記第１の無線電話と実質上第２の周波数帯域および／または実質上第２の電波インタフェースで地上波通信するように構成された第２の部分と、によってそれぞれ実行される、ことを特徴とする請求項１に記載の衛星無線電話システムのための制御方法。
【請求項２３】
前記第１の部分は第１の無線ネットワークオペレータによって操作され、前記第２の部分は第２の無線ネットワークオペレータによって操作される、ことを特徴とする請求項２２に記載の衛星無線電話システムのための制御方法。
【請求項２４】
複数の無線電話と複数の周波数帯域および／または複数の電波インタフェースで通信するように構成された宇宙設置コンポーネントを含む衛星無線電話システムのための付随する地上ネットワークであって、
前記複数の無線電話と実質上前記複数の周波数帯域および／または実質上前記複数の電波インタフェースで地上波通信するように構成された複数の付随する地上コンポーネントと、
無線電話からの、第１の付随する地上コンポーネントによって受信された信号と、第２の付随する地上コンポーネントによって受信された信号と、および／または補助アンテナシステムによって受信された信号とをダイバシティ合成するように構成されたダイバシティ受信機と
を含んでなる、衛星無線電話システムのための付随する地上ネットワーク。
【請求項２５】
前記第２の付随する地上コンポーネントは、前記第１の付随する地上コンポーネントに隣接している請求項２４に記載の衛星無線電話システムのための付随する地上ネットワーク。
【請求項２６】
前記補助アンテナシステムと組み合わさっている請求項２４に記載の衛星無線電話システムのための付随する地上ネットワーク。
【請求項２７】
前記第１の付随する地上コンポーネントは前記複数の無線電話と、セルを画定するエリア上で通信し、前記補助アンテナシステムは前記セルの内側および／または外側に設置されている請求項２５に記載の衛星無線電話システムのための付随する地上ネットワーク。
【請求項２８】
複数の無線電話と複数の周波数帯域および／または複数の電波インタフェースで通信するように構成された宇宙設置コンポーネントを含む衛星無線電話システムのための第１の付随する地上コンポーネントであって、
前記複数の無線電話と実質上前記複数の周波数帯域および／または実質上前記複数の電波インタフェースで地上波通信するように構成されたサブシステムと、
無線電話からの、当該第１の付随する地上コンポーネントによって受信された信号と、第２の付随する地上コンポーネントとによって受信された信号と、および／または補助アンテナシステムによって受信された信号とをダイバシティ合成するように構成されたダイバシティ受信機と
を含んでなる、衛星無線電話システムのための第１の付随する地上コンポーネント。
【請求項２９】
前記第２の付随する地上コンポーネントは、当該第１の付随する地上コンポーネントと隣接している請求項２８に記載の衛星無線電話システムのための第１の付随する地上コンポーネント。
【請求項３０】
前記補助アンテナシステムと組み合わさっていることを特徴とする請求項２８に記載の衛星無線電話システムのための第１の付随する地上コンポーネント。
【請求項３１】
当該第１の付随する地上コンポーネントは前記複数の無線電話と、セルを画定するエリア上で通信し、前記補助アンテナシステムは前記セルの内側および／または外側に設置されている請求項２９に記載の衛星無線電話システムのための第１の付随する地上コンポーネント。
【請求項３２】
複数の無線電話と複数の周波数帯域および／または複数の電波インタフェースで通信するように構成された宇宙設置コンポーネントと、前記複数の無線電話と実質上前記複数の周波数帯域および／または実質上前記複数の電波インタフェースで地上波通信するように構成された複数の付随する地上コンポーネントとを含む衛星無線電話システムにおいてリンクマージンを増大させるための方法であって、
無線電話からの、第１の付随する地上コンポーネントによって受信された信号と、第２の付随する地上コンポーネントとによって受信された信号と、および／または補助アンテナシステムによって受信された信号とをダイバシティ合成することを含む方法。
【請求項３３】
前記第１の付随する地上コンポーネントは、前記第２の付随する地上コンポーネントに隣接している請求項３２に記載の方法。
【請求項３４】
前記第１の付随する地上コンポーネントは前記複数の無線電話と、セルを画定するエリア上で通信し、前記補助アンテナシステムは前記セルの内側および／または外側に設置される請求項３２に記載の方法。
【請求項３５】
衛星帯域の周波数と電波インタフェースを使用して宇宙設置システムと通信するように構成され、該衛星帯域の周波数と実質的に該電波インタフェースとを使用して地上無線ネットワークと通信するように構成された、単一のＲＦチェーンとそれに接続している単一のベースバンドプロセッサを含んでなる無線電話。
【請求項３６】
前記衛星帯域の周波数と前記電波インタフェースを使用して前記宇宙設置システムと通信するように構成され、該衛星帯域の周波数と実質的に該電波インタフェースとを使用して地上無線ネットワークに通信するように構成された共通のアンテナと、
前記衛星帯域の周波数と前記電波インタフェースとを使用する前記共通のアンテナを介して、前記ベースバンドプロセッサから前記宇宙設置システムに通信を伝送するように構成され、前記衛星帯域の周波数と実質的に前記電波インタフェースとを使用する前記共通のアンテナを介して、前記ベースバンドプロセッサから前記地上無線ネットワークに通信を伝送するように構成された共通の伝送チェーンと、
前記衛星帯域の周波数と実質的に前記電波インタフェースとを使用する前記共通のアンテナを介して、前記ベースバンドプロセッサ用の通信を前記宇宙設置システムから受信するように構成され、前記衛星帯域の周波数と実質的に前記電波インタフェースとを使用する前記共通のアンテナを介して、前記ベースバンドプロセッサ用の通信を前記地上無線ネットワークから前記受信するように構成された共通の受信チェーンと
を含む、請求項１に記載の無線電話。
【請求項３７】
前記共通の伝送チェーンは、
前記ベースバンドプロセッサに応答する共通アップコンバータと、
前記共通アップコンバータに応答する共通電力増幅器と
を含んでおり、前記共通のアンテナは前記共通電力増幅器に応答するものである、請求項２に記載の無線電話。
【請求項３８】
前記共通の受信チェーンは、
前記共通のアンテナに応答する共通の低ノイズ増幅器と、
前記低ノイズ増幅器に応答する共通のダウンコンバータと
を含んでなり、前記ベースバンドプロセッサは、前記共通のダウンコンバータに応答するものである、請求項２に記載の無線電話。
【請求項３９】
前記ベースバンドプロセッサと前記共通のアップコンバータとの間に接続された共通のローパスフィルタと、
前記共通の電力増幅器と前記共通のアンテナとの間に接続された共通の帯域通過フィルタと
を含む、請求項３に記載の無線電話。
【請求項４０】
前記共通のアンテナと前記共通のダウンコンバータとの間に接続された共通の帯域通過フィルタと、
前記共通のダウンコンバータと前記ベースバンドプロセッサとの間に接続された共通のローパスフィルタと
をさらに含む、請求項４に記載の無線電話。
【請求項４１】
前記ベースバンドプロセッサは、
衛星固有ボコーダ、衛星用前進型誤信号訂正コーダ、または、衛星固有インタリーバを含む、請求項１に記載の無線電話。
【請求項４２】
前記ベースバンドプロセッサは、
共通の論理部およびメモリ部と、
地上無線ネットワーク通信機能を与えるように構成された第１の論理部と、
宇宙設置システム通信機能を与えるように構成された第２の論理部と
を含む、請求項１に記載の無線電話。
【請求項４３】
前記衛星帯域は、衛星Ｓ帯域または衛星Ｌ帯域を含むものである請求項１に記載の無線電話。
【請求項４４】
前記共通のアンテナは、従来のセルラ無線電話またはＰＣＳ無線電話のアンテナと同じサイズのものである、請求項２に記載の無線電話。
【請求項４５】
前記共通の電力増幅器および前記共通のアンテナは、前記宇宙設置システムに通信するときには、前記地上無線ネットワークに通信するときの最大電力を超えずに放射するように構成されている請求項３に記載の無線電話。
【請求項４６】
前記宇宙設置システムと前記地上無線ネットワークとを組み合わせたものである、請求項１に記載の無線電話。
【請求項４７】
前記共通のアンテナは、グローバルスターまたはイリジウムのアンテナよりも小さいものである、請求項２に記載の無線電話。
【請求項４８】
前記電波インタフェースは、ＴＤＭＡ、ＣＤＭＡ、ＦＤＭＡ，ＯＦＤＭ、ＯＦＤＭＡ、ＦＤＤ、または、ＴＤＤのインタフェースである、請求項１に記載の無線電話。
【請求項４９】
互いに接続された、前記単一の無線周波数チェーンおよび前記単一のベースバンドプロセッサが、前記衛星帯域の周波数と前記電波インタフェースとを使用する前記宇宙設置システムに通信するように構成されており、共通の地理的エリアにおいては、前記衛星帯域の周波数と実質的に前記電波インタフェースとを使用する前記地上無線ネットワークに通信するように構成されている、請求項１に記載の無線電話。
【請求項５０】
互いに接続された、前記単一の無線周波数チェーンおよび前記単一のベースバンドプロセッサが、アドホックショートレンジ無線ネットワークにも通信するように構成されている請求項１に記載の無線電話。